(57)【要約】【課題】この考案は、耐震構造の優れた強固な墓を提供する。【解決手段】  基礎２上に平面ほぼ矩形枠状に胴石４を設け、この胴石４内に納骨堂６を形成する石材製の左，右一対の骨堂壁５，５を前記基礎２上に設け、胴石４と各骨堂壁５，５との間の上面及び納骨堂６の正面側端部と背面側端部の各上面を塞ぐ石材製の正，背面側覆い板２３，２４と、前記胴石４と各骨堂壁５との間の上面を塞ぐ石材製の左，右面側覆い板２５，２５とを胴石４および骨堂壁５上に支持固定し、且つ前記背面側覆い板及び前記左，右面側覆い板の一部を切欠いてほぼ矩形状の開口部３０を形成すると共に、該開口部３０の各角隅部３１ａに配設した衝撃緩衝部材４０を介して、前記墓石の下台１７ａ下面に形成したほぞ１７ｆを結合させて支持固定し、墓石の前後，左右方向へのすべりを防止するようにした。【選択図】  図４
0003103488.tif 000002
【実用新案登録請求の範囲】
【請求項１】
墓の胴石によってほぼ矩形枠状に形成された内部空間を、一対の骨堂壁で左右に仕切り、左，右内部中空部及び中央空間部を設け、該中央空間部を納骨堂とし、前記それぞれの内部中空部及び納骨堂の一部上方を覆い板及び墓石で塞ぐようにした外柵を備えた墓において、前記覆い板によって前側納骨入口部を除いて矩形状に形成される開口部の角隅部に弾性を有する衝撃緩衝材を配設すると共に、前記開口部に前記墓石の下台の底面に形成したほぞを嵌合することで、前記開口部と墓石とを互いにほぞ結合するようにしたことを特徴とする耐震構造を備えた墓。
【請求項２】
基礎２上に平面ほぼ矩形枠状に胴石４を設け、
この胴石４内に納骨堂６を形成する石材製の左，右一対の骨堂壁５を前記基礎２上に設け、
骨堂壁５の各前，後端をそれぞれ、胴石４の正面壁４ａおよび背面壁４ｃの内面にそれぞれ固定し、
胴石４と各骨堂壁５との間の上面及び納骨堂６の正面側端部と背面側端部の各上面を塞ぐ石材製の正，背面側覆い板２３，２４と、
前記胴石４と各骨堂壁５との間の上面を塞ぐ石材製の左，右面側覆い板２５，２５とを胴石４および骨堂壁５上にそれぞれ支持固定し、
かつ前記正，背面側覆い板及び左，右面側覆い板同志を連結金具にてそれぞれ固定すると共に、前記背面側覆い板の正面側の一部及び前記左，右面側覆い板の対向面の一部を切欠いて開口部を形成すると共に、該開口部の角隅部には、
弾性を有する衝撃緩衝材を配設し、
前記墓石の下台下面に形成したほぞを嵌合させて載置し、該開口部の正面側には前記納骨堂６と連通する納骨入口部を設け、
該納骨入口部には着脱可能な骨蓋を兼ねた香炉台を載置して前記納骨堂の上面を閉塞したことを特徴とする請求項１記載の耐震構造を備えた墓。
【請求項３】
前記背面側覆い板及び前記左，右面側覆い板の切欠部によって形成されるほぼ矩形状の開口部の各角隅部に配設される衝撃緩衝吸収材は、エチレンとプロピレンおよびターポリマーの共重合体からなる合成ゴム材によって形成されたものであることを特徴とする請求項１または２記載の耐震構造を備えた墓。
【請求項４】
前記衝撃緩衝吸収材は、前記背面側覆い板及び前記左，右面側覆い板の表面に載置される上下方向からの圧力を緩和する扁平な上部緩衝面と、前記上部緩衝面の端部より直角に折り曲げて下部側に垂下し、前記開口部の隣り合う側縁面および角隅部に接合配設されて、前記ほぞ結合による前，後方向及び左，右方向からの押圧力を吸収する下部緩衝面を有していることを特徴とする請求項１〜３のいずれか１つに記載の耐震構造を備えた墓。
【請求項５】
前記墓石は下台，中台，上台、棹石をこの順に上方に順次重ねてなり、各接合部にはそれぞれ所定の間隔で対応配設され取付孔に配設した複数の連結棒を接着剤を介して固定されるようになっていることを特徴とする請求項１〜４のいずれか１つに記載の耐震構造を備えた墓。
【請求項６】
前記納骨堂と連通する納骨入口部に着脱可能に配設される骨蓋を兼ねた香炉台の下端面にほぞを設け、前記納骨入口部の開口周縁部とほぞ結合されるようにしたことを特徴とする請求項１〜５のいずれか１つに記載の耐震構造を備えた墓。
【考案の詳細な説明】
【技術分野】
【０００１】
この考案は、墓の胴石によってほぼ矩形枠状に形成された内部空間を一対の骨堂壁で左右方向に仕切り、左，右の内部中空部及び中央空間部を設け、該中央空間部を納骨堂とし、前記それぞれの内部中空部及び納骨堂の上方を覆い板及び墓石で塞ぐようにした外柵を備えた墓の改良に係り、特に耐震性の優れた耐震構造を備えた墓に関するものである。
【背景技術】
【０００２】
外柵内に墓石を設け、墓石下方の外柵内に納骨堂を形成した大型の墓が一般に用いられ、この墓は東北地方に多い。
【０００３】
従来の外柵を備えた墓は、図８および図１０に示すように、栗石１上に鉄筋コンクリート製の基礎２を構築し、基礎２上に外柵３を構築している。なお、前記外柵３とは、以下に説明する胴石４とその内部に設けた骨胴壁５などの部材とからなり、上石７などを含むものでも良い。
前記外柵３は、基礎２上に平面ほぼ矩形枠状に胴石４を固定し、基礎２上に固定した矩形枠状の一対の骨堂壁５を胴石４内に所定の間隔を設けて配置し、骨堂壁５間に納骨堂６を形成している。
【０００４】
前記胴石４の左，右側面壁４ｂ上には上石７を介して袖石８をそれぞれ固定し、これらの正面側端に当接させて基礎２上に左，右門柱９を固定し、これらの門柱９間に階段１０を設けると共に、基礎２の正面側端には縁石１１を設けてある。胴石４の背面壁４ｃ上には、上石７を介して中央部に塔婆立て１２を立設すると共に、左，右端部に屏風１３を立設し、これらの端部に袖石８を当接させている。
【０００５】
前記骨堂壁５と胴石４との間には、土１４を充填し、土１４上の階段１０背面側に接して敷石１５を設置すると共に、骨堂壁５の正面板５ａ上に正面側部を支持した骨蓋１６の背面側部によって納骨堂６の開放された上面の正面側端部に位置する納骨入口部を塞ぐと共に、墓石１７の下台１７ａを骨堂壁５の左，右側面板５ｂ、背面板５ｃ上に支持させ、前記下台１７ａによって納骨堂６の骨蓋１６よりも背面側部分上を覆っている。
前記墓石１７は、下台１７ａ上に中台１７ｂおよび上台１７ｃを介して棹石１７ｄを支持固定し、骨蓋１６上には花立て１８および香炉１９を設置してある。
【０００６】
なお、胴石４、骨堂壁５、上石７、袖石８、門柱９、階段１０、塔婆立て１２、屏風１３、敷石１５、骨蓋１６、墓石１７の下台１７ａ、中台１７ｂ、上台１７ｃ、棹石１７ｄなどはそれぞれ御影石などの石材によって構成してある。また、図８中、符号１７ｅは墓石１７の供物台である。
【０００７】
従来の外柵を備えた墓は、前述のように構成され、骨堂壁５と胴石４との間に土１４が充填されており、この土１４が含水し水分の乾燥が遅いことにより、この水を胴石４や石材からなる骨堂壁５が吸水する。そして、土１４の含水や胴石４、骨堂壁５の吸水が東北地方、北海道などの寒冷地では冬期に凍結し、体積が膨張するため、胴石４、骨堂壁５にひび割れが生じ水が納骨堂に入込んだり、骨堂壁５や胴石４がこれらの石材がずれて変形するなど、凍害が発生するという問題点があり、また、夏期などには土１４に草が生え、その除草が面倒であるという問題点もあった。
【０００８】
前述した問題点を解決して、寒冷地でも冬期に凍害が発生せず、長年月にわたって使用でき、強度も大きい上に、夏期などに外柵の胴石と骨堂壁との間の部分に草が生えない改良した外柵を備えた墓について、本願出願人は、特公平８−６５０５号公報に示す発明を提供している。
【０００９】
即ち、改良された考案にあっては、図１０に示すように、基礎２上に平面ほぼ矩形枠状に胴石４を設け、この胴石４内に納骨堂６を形成する石材製の骨堂壁５を前記基礎２上に設け、骨堂壁５の左，右側面板５ｂを胴石４の正面壁４ａおよび背面壁４ｃの内面にそれぞれ固定し、骨堂壁５の正面板５ａを左，右側面板５ｂの正面側端部間に固定し、前記納骨堂６の正面側端部の納骨入口部を塞ぐ石材からなる骨蓋１６を骨堂壁５の正面側端部上に移動可能に支持し、胴石４と骨堂壁５との間および納骨堂６の背面側端部の上面を塞ぐ石材製の覆い板２５を胴石４および骨堂壁５上に支持固定し、胴石４と骨堂壁５との間に密閉空間部２６を形成した外柵３を備え、骨堂壁５上の前記骨蓋１６よりも背面側部分上に墓石１７を支持固定し、納骨堂６の上面を密閉したものである。
【特許文献１】特公平８−６５０５号公報
【考案の開示】
【考案が解決しようとする課題】
【００１０】
このような改良された発明によると、胴石４と骨堂壁５との間の上面を塞ぐ覆い板２３〜２５を有し、胴石４と骨堂壁５との間に密閉空間部２６を形成したので、この空間部２６内に雨水や雪融け水などが入り込むことがなく、また胴石４と骨堂壁５との間に土が充填されていないので、覆い板２３〜２５上に草が生えることがなく、水の凍結による体積の膨張もなく、胴石４や骨堂壁５にひび割れやこれらの変形が生じない。
【００１１】
そして、納骨堂６は外側面を骨堂壁５によって囲み、上面を骨蓋１６、覆い板２３〜２５、墓石１７によって覆い、外側面および上面を密閉したので、納骨堂６内に水が入り込むことも防止できる。したがって、この改良発明の外柵を備えた墓は、凍害の発生を防止できる。
【００１２】
さらに、骨堂壁５は、側面板５ｂを胴石４の正，背面壁４ａ，４ｃに固定し、正面板５ａを側面板５ｂの正面側端部に固定したので、組立強度が大きく、かつ耐震性に優れていることで地震などによって納骨堂６や密閉中空部２６を構成する部材の位置ずれも防止でき、長年月にわたって使用できるものである。
【００１３】
しかしながら、前述の墓石１７にあっては、下台１７ａ，中台１７ｂ，上台１７ｃ、棹石１７ｄを単に順々に積層して墓石１７を構成し、納骨堂６の上面を塞ぐように覆い板２３，２５上に載置し、自重によって移動しないような構成になっているため、小さな振動の地震に対しての耐震性は備わっているが、大きな地震、例えば震度５〜７以上の振動に対しては、覆い板２３，２５上に載置された花立１８、香炉１９、及び墓石１７が横滑り現象を起こし、墓石１７全体が倒壊する危険性があるという問題点がある。
【００１４】
この考案は、前述した問題点を解決して、組立強度が大きくかつ覆い板上の納骨堂の上方開口部を塞ぐ墓石の下台底面に形成したほぞを、前記開口部の内周縁となる角隅部に配設した弾性を備えた衝撃緩衝材を介してほぞ結合すると共に、前記墓石を構成する下台、中台、上台、棹石の各接合面に所定間隔でステンレスなどの不錆鋼材の連結棒及び接着剤を配して互いに連結することで、震度５〜７程度の地震に充分耐えることのできる耐震性の優れた耐震構造を備えた墓を提供することを目的とする。
【課題を解決するための手段】
【００１５】
この考案の請求項１に係る耐震構造を備えた墓は、墓の胴石によってほぼ矩形枠状に形成された内部空間を、一対の骨堂壁で左右に仕切り、左，右内部中空部及び中央空間部を設け、該中央空間部を納骨堂とし、前記それぞれの内部中空部及び納骨堂の一部上方を覆い板及び墓石で塞ぐようにした外柵を備えた墓において、前記覆い板によって前側納骨入口部を除いて矩形状に形成される開口部の角隅部に弾性を有する衝撃緩衝材を配設すると共に、前記開口部に前記墓石の下台の底面に形成したほぞを嵌合することで、前記開口部と墓石とを互いにほぞ結合するようにしたことを特徴とする耐震構造を備えた墓。
【００１６】
請求項２の考案は、請求項１記載の耐震構造を備えた墓において、基礎２上に平面ほぼ矩形枠状に胴石４を設け、この胴石４内に納骨堂６を形成する石材製の左，右一対の骨堂壁５を前記基礎２上に設け、骨堂壁５の各前，後端をそれぞれ、胴石４の正面壁４ａおよび背面壁４ｃの内面にそれぞれ固定し、胴石４と各骨堂壁５との間の上面及び納骨堂６の正面側端部と背面側端部の各上面を塞ぐ石材製の正，背面側覆い板２３，２４と、前記胴石４と各骨堂壁５との間の上面を塞ぐ石材製の左，右面側覆い板２５，２５とを胴石４および骨堂壁５上にそれぞれ支持固定し、かつ前記正，背面側覆い板及び左，右面側覆い板同志を連結金具にてそれぞれ固定すると共に、前記背面側覆い板の正面側の一部及び前記左，右面側覆い板の対向面の一部を切欠いて開口部を形成すると共に、該開口部の角隅部には弾性を有する衝撃緩衝材を配設し、前記墓石の下台下面に形成したほぞを嵌合させて載置し、該開口部の正面側には前記納骨堂６と連通する納骨入口部を設け、該納骨入口部には着脱可能な骨蓋を兼ねた香炉台を載置して前記納骨堂の上面を閉塞したことを特徴とする。
【００１７】
請求項３の考案は、請求項１または２に記載の耐震構造を備えた墓において、前記背面側覆い板及び前記左，右面側覆い板の切欠部によって形成されるほぼ矩形状の開口部の各角隅部に配設される衝撃緩衝吸収材は、エチレンとプロピレン及びターポリマーの共重合体からなる合成ゴム材によって形成されたものであることを特徴とする。
【００１８】
請求項４の考案は、請求項１〜３のいずれか１つに記載の耐震構造を備えた墓において、前記衝撃緩衝吸収材は、前記背面側覆い板及び前記左，右面側覆い板の表面に載置される上下方向からの圧力を緩和する扁平な上部緩衝面と、前記上部緩衝面の端部より直角に折り曲げて下部側に垂下し、前記開口部の隣り合う側縁面および角隅部に接合配設されて、前記ほぞ結合による前，後方向及び左，右方向からの押圧力を吸収する下部緩衝面を有していることを特徴とする。
【００１９】
請求項５の考案は、請求項１〜４のいずれか１つに記載の耐震構造を備えた墓において、前記墓石は下台，中台，上台、棹石をこの順に上方に順次重ねてなり、各接合部にはそれぞれ所定の間隔で対応配設され取付孔に配設した複数の連結棒を接着剤を介して固定されるようになっていることを特徴とする。
【００２０】
請求項６の考案は、請求項１〜５のいずれか１つに記載の耐震構造を備えた墓において、前記納骨堂と連通する納骨入口部に着脱可能に配設される骨蓋を兼ねた香炉台の下端面にほぞを設け、前記納骨入口部の開口周縁部とほぞ結合されるようにしたことを特徴とする。
【考案の効果】
【００２１】
この考案は、墓の胴石によってほぼ矩形枠状に形成された内部空間を、一対の骨堂壁で左右に仕切り、左，右内部中空部及び中央空間部を設け、該中央空間部を納骨堂とし、前記それぞれの内部中空部及び納骨堂の一部上方を覆い板及び墓石で塞ぐようにした外柵を備えた墓において、前記覆い板によって前側納骨入口部を除いて矩形状に形成される開口部の角隅部に弾性を有する衝撃緩衝材を配設すると共に、前記開口部に前記墓石の下台の底面に形成したほぞを嵌合することで、前記開口部と墓石とを互いにほぞ結合し且つ墓石と覆い板との対応面には接着剤による目地を施し密閉するようにした構成としたので、以下のような効果がある。
【００２２】
すなわち、この考案の外柵を備えた墓は、胴石と骨堂壁との間の上面を塞ぐ覆い板を有し、胴石と骨堂壁との間に密閉空間部を形成したので、この空間部内に雨水や雪融け水などが入り込むことがなく、また胴石と骨堂壁との間に土を充填していないので、覆い板上に草が生えることがなく、水の凍結による体積の膨張もなく、胴石や骨堂壁にひび割れやこれらの変形が生じない。
【００２３】
また、納骨堂は外側面を骨堂壁によって囲み、上面を香炉台、覆い板、墓石によって覆い、外側面および上面を密閉したので、納骨堂内に水が入り込むことも防止できる。したがって、この考案の外柵を備えた墓は、凍害の発生を防止できる。
【００２４】
さらに、矩形枠状の胴石上面に配設される各覆い板同志は連結金具で強固に固定されると共に、覆い板に形成される開口部の角隅部には弾性を有する衝撃緩衝材を配設し、墓石の下台の底面に形成したほぞによりほぞ結合としたので、前記ほぞ結合時に発生するねじれ等によって、前記開口部の角隅部にかかる負担の緩和或いは損壊等の防止ができ、且つ地震などによる左右横方向及び前後方向への移動が阻止されると共に、胴石と骨胴壁で形成される左右の密閉中空部に土が充填されていないことよって、振動が遮断され、強度が大きく、かつ耐震性に優れ、長年月にわたって使用できる。
【考案を実施するための最良の形態】
【００２５】
本実施例の最良の形態では、ほぼ矩形枠状の上面開口を塞ぐ覆い板同志を互いに連結金具により固定すると共に、前記覆い板により形成される開口部に密閉状態に配設される墓石の下台底面にすべり防止手段としてのほぞを形成し、覆い板開口縁部の各角隅部に配設した衝撃緩衝材および接着剤を介してほぞ結合すると共に、下台上方に積層される中台，上台及び棹石の各接合面同志をそれぞれの接合面に穿った取付孔にステンレス製の連結棒を配設し、接着剤を介して複数個所を連結するようにしている。また前記納骨堂に通じる納骨入口部には、骨蓋を兼ねた香炉台を配設して密閉するようにし、且つ骨蓋を兼ねた香炉台の底面にもほぞを形成し、密封シールを介して嵌合することですべり防止機能を持たせるようにしてある。
【実施例１】
【００２６】
以下、この考案の実施例１につき図１ないし図６を参照して説明する。これらの図において、図７，図８および図９と同符号は対応する部分を示す。
【００２７】
図１は本考案に係る耐震構造を備えた墓の一実施例を示す要部を切欠いて示す分解斜視図、図２は図１の矩形枠状に配設した胴石を示す平面図，図３は図１の胴石上面開口を塞ぐ覆い板の結合状態を示す斜視図。図４は正面側より見た要部縦断面図、図５は耐震構造用に開発した本考案の衝撃緩衝材の斜視図、図６は同じく納骨堂への納骨入口部の要部縦断図である。
【００２８】
本考案の実施例によれば、枠状の基礎２上に板厚状の石材からなる胴石４を適宜の手段によってほぼ矩形枠状に固定し、胴石４の左右一対の側面壁４ｂ，４ｂの正面側端部を正面壁４ａより正面側に僅かに突出させ、且つ背面側端部には背面壁４ｃが配設されている。そして、前記背面壁４ｃと正面壁４ａとの間には所定の間隔をもって一対の骨堂壁５，５がL字（コーナー）金具２８、鎹３３等の連結金具３４によってそれぞれ固定されている。この骨堂壁５，５と正面壁４ａ，背面壁４ｃで囲まれる空間部が納骨堂６となる。
【００２９】
すなわち、骨堂壁５，５は、正面側端および背面側端を胴石４の正面壁４ａおよび背面壁４ｃの内面にそれぞれ支持固定してある。また、納骨堂６は、上面を開放し、下面が基礎２に開口２ａ（図４参照）を介して構築面の土２１に連通させてあり、開口２ａ部を含む納骨堂６内の底部には盲暗渠用の砂２２を敷設してある。
【００３０】
又、図２，図３によく見られるように、前記胴石４の左，右側面壁４ｂと骨堂壁５，５の上には上石を兼ねた左，右覆い板２３を、Ｌ字金具２８、鎹３３等の連結金具３４によってそれぞれ支持固定し、左，右覆い板２３の背面側部分間には上石を兼ねた背面側覆い板２５を配設し、また、この覆い板２５を胴石４の左，右側面壁４ｂと背面壁４ｃと骨堂壁５，５の背面側端上に支持固定してある。更に、前記胴石４の左，右側面壁４ｂの正面側端部と骨堂壁５の正面側端部とに正面側覆い板２４を支持固定し、これら各覆い板２３〜２５は互いにＬ字金具２８、鎹３３等の連結金具３４によってそれぞれ固定されている。
【００３１】
前記骨堂壁５の左，右側面板５ｂと胴石４の左，右側面壁４ｂとの間に、これらと基礎２、左，右覆い板２３および正，背面側覆い板２４，２５とで囲んだ左，右密閉中空部２６を形成してある。
【００３２】
前記左，右の覆い板２３の背面側端部の対向面は、前記骨堂壁５，５の対向内面とほぼ面一となる切欠部２３ａを有し、且つ正面側端部の対向間隔は骨堂壁５，５の内面より僅かに突出させて後述の納骨入口部３１と成る空間部を設けて配設してある。また前記背面側覆い板２５の骨堂壁５，５間には僅かに切り込んだ凹部２５ａが形成され、前記左，右覆い板２３の切欠部２３ａと覆い板２５の凹部２５ａとによって、前記納骨入口部３１を除いた矩形枠状の開口部３０を形成し、この開口部３０に墓石１７の下台１７ａが密接状態に配設されるようになっている。また、前記正面側端部に形成される納骨堂６へ連通する納骨入口部３１には骨蓋を兼ねた香炉台１６が着脱可能に配設され、納骨堂６の入口部３１を覆っている。
【００３３】
また、図５に示すように、前記開口部３０の側縁が交差する４つの各角隅部には、エチレンとプロピレンとターポリマーとを加えた三元共重合体からなる合成ゴム製の弾性を有する衝撃緩衝材４０が接着剤によって取り付けられている。前記衝撃緩衝材４０は、前記背面側覆い板２５及び前記左，右面側覆い板２３の表面に載置されて上下方向からの圧力を吸収緩和する扁平な上部緩衝面４０ａと、前記上部緩衝面４０ａの端部より前記各角隅部３０ａに対応するように直角に折曲げて下部側に垂下し、前記開口部３０の隣り合う側縁面および角隅部に接着剤で固着されて、前，後方向及び左，右方向からの押圧力を吸収する下部緩衝面４０ｂを有しており、一体成形されたものである。
【００３４】
なお、前記背面側覆い板２５及び前記左，右面側覆い板２３の表面に載置された上部緩衝面４０ａは、前記下台１７ａとのほぞ結合時には、前記下台１７ａの底面により押しつぶされ、各覆い板２５，２３の表面と下台１７ａとの底面との間に僅かに隙間が生じるが、この隙間は接着剤を混入した目地により密閉されるようになっている。
【００３５】
前記衝撃緩衝材４０に使用されるエチレンとプロピレン及びターポリマーの共重合体に係る合成ゴム材は、耐熱性が１５０度、耐寒性―６０度と気温の変化に強く、耐水性、耐老化性や反発弾性（ゴム硬度は６０°〜６５°Ｈｓ）に優れた材質を使用している。
【００３６】
さらに、前記墓石１７の下台１７ａの底面にはすべり防止手段としてのほぞ１７ｆが突出形成されており、前記矩形枠状の開口部３０の角隅部３０ａに前記弾性を有する衝撃緩衝吸収部材４０及び目地用の接着剤を介してほぞ結合されるようになっている。
【００３７】
なお、本考案では振動による墓石の前，後方向及び左，右方向の滑りを左，右覆い板２３，背面側覆い板２５によって防止できる構成となっている。
また、前記ほぞ結合される開口部３０の角隅部３０ａと下台１７ａのほぞ結合部には、弾性部材よりなるの衝撃吸収部材４０と接着剤が設けられ、ほぞ結合部への急激な圧力を緩和するようになっている。
そして、前記各覆い板２３，２４，２５同志はステンレス製など錆びに強いＬ字金具２８、鎹３３等の連結金具３４によって、前記胴石４及び骨胴壁５と強固に結合されている。
【００３８】
前記下台１７ａ、中台１７ｂ、上台１７ｃ及び上層の棹石１７ｄの各接合面には、それぞれの対応位置に複数の取付孔４２が形成され、好ましくは２本〜４本のステンレス製の連結棒４１を前記取付孔４２内に嵌合し、接着剤を介して前記接合面同士を固定するようにしている。
【００３９】
なお、前記納骨堂６を形成する背面壁４ｃ及び正面壁４ａにはそれぞれ外気と連通する通気孔５０を形成することで、納骨堂６内の湿気を喚気できる。
【００４０】
図７は本考案の耐震構造を有する墓の完成図で、左，右覆い板２３及び背面側覆い板２５の左，右端部上にはそれぞれ左，右袖石８を固定し、背面側覆い板２５の背面側端部上には左，右屏風１３及び両屏風１３間に介在させた塔婆立て１２を立設してある。左，右袖板８、塔婆立て１２の下縁部にはこれらの長手方向中央部に排水用の連通孔（図示せず）がそれぞれ形成してある。左，右袖石８の正面側端に当接する左，右門柱９を基礎２上に立設し、左，右門柱９間に従来の階段に替えてすべり防止加工を施した敷石４３を設けてある。
【００４１】
そして、左，右覆い板２３、正面側覆い板２４と左，右袖石８との固定を、これらに相対向して穿った孔または切欠に嵌めたボルト状の棒または板からなる連結金具３４によって補強し、同様に連結金具３４を用いて、左，右覆い板２３と屏風１３、背面側覆い板２５と塔婆立て１２、左，右門柱９と敷石４３との固定も補強してある。なお、連結金具３４は、これらを孔または切欠に固定するために、これらにセメントで埋込んでもよい。
【００４２】
また香炉台１６の左右に配設される花立１８は、前記左，右覆い板２３の前面端側に接着剤を介して固定するようにしているため耐震性が向上できる。
従来の花立１８の設置は移動可能な骨蓋上に載置しており、骨蓋の移動時には骨蓋上より取り除くようにしていたため、花立１８の覆い板上への固定が出来ず、耐震機能は全く備えていない構成であった。
【００４３】
また、実施例の各構成部材は、シリコーン樹脂などの対候性接着剤により接着固定し、納骨堂６および前記中空部２６内には、外部から水が入り込まないように、胴石４、骨堂壁５の構成部材およびこれらと当接する部材を接着してある。
【００４４】
なお、この実施例の前述した以外の構成は、本願出願人が先に提案した外柵を備えた墓と同構成である。
【００４５】
以上のように構成した実施例は、胴石４の正面壁４ａ及び背面壁４ｃ及び一対の骨胴壁５，５に配設される覆い板２３〜２５によって形成される開口部３０及び納骨入口部３１に墓石１７及び着脱可能な骨蓋を兼ねた香炉台１６をほぞ結合によって支持固定した構成としたので、振動による墓石１７及び骨蓋を兼ねた香炉台１６の前後，左右方向への滑り現象による移動を防止でき、耐震性の優れた強固な墓を造ることができる。
【００４６】
また、この実施例では、不錆鋼材からなるＬ字（コーナー）金具２８、ボルトナット、鎹３３、連結金具３４を用いて、胴石４、覆い板２３〜２５及び墓石１７の構成石材の固定部を補強したので、地震に対する強度が大きく、とくにコーナー金具２８を用いて、胴石４、骨堂壁５を補強しているので、密閉中空部２６、納骨堂６が変形しにくい。
【００４７】
なお、コーナー金具２８、鎹３３および連結金具３４による補強箇所は図示のものに限られるものではなく、増減など適宜変更できる。
【００４８】
この考案において、袖石８の一部を除去して法名碑８ａを設けるなど、適宜の部材を付加したり、塔婆立て、門柱および墓石の構成を変更したりすることができ、また左右一対の骨堂壁５，５間の背面側端部及び正面側端部に補強板を設けて、納骨壁５，５の強度を向上させることもできる。
【図面の簡単な説明】
【００４９】
【図１】本考案に係る耐震構造を備えた墓の一実施例を示す要部を切欠いて示す分解斜視図、
【図２】図１の矩形枠状に配設した胴石を示す平面図。
【図３】図１の胴石上面開口を塞ぐ覆い板の結合状態を示す斜視図。
【図４】正面側より見た要部縦断面図。
【図５】衝撃緩衝部材の斜視図。
【図６】同じく納骨堂への入口部の要部縦断図。
【図７】本考案の耐震構造を備えた墓の完成図。
【図８】従来の墓の側断面図。
【図９】図７に示した墓の平面図。
【図１０】従来の外柵を備えた墓の要部平面図。
【符号の説明】
【００５０】
２    基礎
３    外柵
４    胴石
４ａ  正面壁
４ｂ  左，右側面壁
４ｃ  背面壁
５    左，右骨堂壁
６    納骨堂
８    袖石
９    門柱
１２    塔婆立て
１３    屏風
１６    骨蓋を兼ねた香炉台
１６ａ  ほぞ
１７    墓石
１７ａ  下台
１７ｂ  中台
１７ｃ  上台
１７ｄ  棹石
１７ｆ  ほぞ
１８    花立て
２３    左，右覆い板
２４    正面側覆い板
２５    背面側覆い板
２６    密閉空間部
２８    L字（コーナー）金具
３０    開口部
３０ａ  角隅部
３１    納骨入口部
３３    鎹
３４    連結金具
４０    衝撃緩衝材
４１    連結棒
４２    取付孔
４３    敷石
５０    通気孔
【図１】
0003103488.tif 000003
【図２】
0003103488.tif 000004
【図３】
0003103488.tif 000005
【図４】
0003103488.tif 000006
【図５】
0003103488.tif 000007
【図６】
0003103488.tif 000008
【図７】
0003103488.tif 000009
【図８】
0003103488.tif 000010
【図９】
0003103488.tif 000011
【図１０】
0003103488.tif 000012